(57)【要約】【課題】複数の表示装置でより効果的な表示が行えるようにする。【解決手段】サーバ装置１によれば、制御部１１は、横並びに配置された複数のデジタルサイネージ装置２の前にいる視聴者の人数を取得し、取得された人数に基づいて、複数のデジタルサイネージ装置２を同期させるか否かを決定し、決定に基づいて、複数のデジタルサイネージ装置２の表示を制御する。【選択図】図５
2016173528.tif 000002
【特許請求の範囲】
【請求項１】
視聴者の人数を取得する取得手段と、
前記取得手段により取得された人数に基づいて、複数の表示装置を同期させるか否かを決定する決定手段と、
前記決定手段による決定に基づいて、前記複数の表示装置の表示を制御する制御手段と、
を備える表示制御装置。
【請求項２】
前記決定手段は、前記複数の表示装置全体の前にいる視聴者の人数が所定の人数である場合に、前記複数の表示装置の全てを同期させると決定する請求項１に記載の表示制御装置。
【請求項３】
前記取得手段は、前記複数の表示装置のそれぞれの前にいる視聴者の人数を取得し、
前記決定手段は、前記複数の表示装置の台数が、所定の人数以上の視聴者が前にいる表示装置の台数で割り切れ、前記所定の人数以上の視聴者が前にいる表示装置が複数でかつ互いに隣接していない場合に、前記複数の表示装置をグループ分けして同期させると決定する請求項１又は２に記載の表示制御装置。
【請求項４】
前記決定手段は、更に、前記所定の人数以上の視聴者が前にいる表示装置の位置に基づいて、前記複数の表示装置のうち互いに同期させる複数の表示装置からなるグループを決定する請求項３に記載の表示制御装置。
【請求項５】
前記制御手段は、前記決定手段により同期させることが決定された複数の表示装置を同期させて前記複数の表示装置全体で一つのコンテンツを表示するように制御する請求項１〜４の何れか一項に記載の表示制御装置。
【請求項６】
前記視聴者の位置を取得する位置取得手段を備え、
前記制御手段は、前記視聴者の位置に応じたレイアウトで前記コンテンツを表示させる請求項５に記載の表示制御装置。
【請求項７】
視聴者の人数を取得する工程と、
前記取得された人数に基づいて、複数の表示装置を同期させるか否かを決定する工程と、
前記決定に基づいて、前記複数の表示装置の表示を制御する工程と、
を含む表示制御方法。
【請求項８】
コンピュータを、
視聴者の人数を取得する取得手段、
前記取得手段により取得された人数に基づいて、複数の表示装置を同期させるか否かを決定する決定手段、
前記決定手段による決定に基づいて、前記複数の表示装置の表示を制御する制御手段、
として機能させるためのプログラム。
【発明の詳細な説明】
【技術分野】
【０００１】
本発明は、表示制御装置、表示制御方法、及びプログラムに関する。
【背景技術】
【０００２】
従来、映像供給装置に接続される映像出力装置と、反射部材と、スクリーンとを有し、映像出力装置からコンテンツを投影する出力光を反射部材によって反射し、この反射部材によって反射された出力光を当該コンテンツの輪郭の形状に形成されたスクリーンに投影することにより、視聴者に対して印象を高めることができる映像出力装置搭載機器が知られている（例えば、特許文献１参照）。
【先行技術文献】
【特許文献】
【０００３】
【特許文献１】特開２０１１−１５０２２１号公報
【発明の概要】
【発明が解決しようとする課題】
【０００４】
しかしながら、特許文献１に記載の技術においては、複数の映像出力装置が並んでいるような場合であっても、個別にコンテンツを表示するだけであった。
【０００５】
本発明の課題は、複数の表示装置でより効果的な表示が行えるようにすることである。
【課題を解決するための手段】
【０００６】
上記課題を解決するため、請求項１に記載の発明の表示制御装置は、
視聴者の人数を取得する取得手段と、
前記取得手段により取得された人数に基づいて、複数の表示装置を同期させるか否かを決定する決定手段と、
前記決定手段による決定に基づいて、前記複数の表示装置の表示を制御する制御手段と、
を備える。
【発明の効果】
【０００７】
本発明によれば、複数の表示装置でより効果的な表示を行うことが可能となる。
【図面の簡単な説明】
【０００８】
【図１】本実施形態におけるコンテンツ出力システムの全体構成例を示す図である。
【図２】図１のサーバ装置の機能的構成を示すブロック図である。
【図３】図１のデジタルサイネージ装置の機能的構成を示すブロック図である。
【図４】図３のスクリーン部の概略構成を示す図である。
【図５】（ａ）は、デジタルサイネージ装置のそれぞれに個別にコンテンツが表示された例を示す図、（ｂ）は、デジタルサイネージ装置全体のスクリーンを使ってコンテンツが拡大表示された例を示す図である。
【図６】図２の制御部により実行される表示制御処理Ａを示すフローチャートである。
【図７】図２の制御部により実行される表示制御処理Ｂを示すフローチャートである。
【発明を実施するための形態】
【０００９】
以下、添付図面を参照して本発明に係る好適な実施形態を詳細に説明する。なお、本発明は、図示例に限定されるものではない。
【００１０】
＜第１の実施形態＞
まず、本発明の第１の実施形態について説明する。
【００１１】
［コンテンツ出力システム１００の構成］
図１は、本発明の第１の実施形態におけるコンテンツ出力システム１００の全体構成を示す図である。コンテンツ出力システム１００は、図１に示すように、サーバ装置１と、店舗に横並びに配置された複数のデジタルサイネージ装置２とがＬＡＮ（Local Area Network）、ＷＡＮ（Wide Area Network）等の通信ネットワークＮを介して通信接続可能に構成されている。
【００１２】
なお、本実施形態においては、デジタルサイネージ装置２の台数が６台である場合を図示しているが、デジタルサイネージ装置２の数は特に限定されない。また、各デジタルサイネージ装置２には、個体を識別するための識別情報２Ａ、２Ｂ、２Ｃ、２Ｄ、２Ｅ、２Ｆが付与されていることとする。
【００１３】
［サーバ装置１の構成］
図２は、サーバ装置１の主制御構成を示すブロック図である。サーバ装置１は、デジタルサイネージ装置２の表示を制御する表示制御装置として機能するものであり、図２に示すように、制御部１１、記憶部１２、通信部１３等を備えて構成されている。
【００１４】
制御部１１は、記憶部１２のプログラム記憶部１２１に記憶されている各種のプログラムを実行して所定の演算や各部の制御を行うＣＰＵ（Central Processing Unit）とプログラム実行時の作業領域となるメモリとを備えている（いずれも図示略）。制御部１１は、記憶部１２のプログラム記憶部１２１に記憶されているプログラムとの協働により、表示制御処理Ａを始めとする各種処理を実行し、取得手段、決定手段、制御手段、位置取得手段として機能する。
【００１５】
記憶部１２は、ＨＤＤ（Hard Disk Drive）や不揮発性の半導体メモリ等により構成される。記憶部１２には、図２に示すように、プログラム記憶部１２１が設けられている。プログラム記憶部１２１には、制御部１１で実行されるシステムプログラム、表示制御処理Ａを始めとする各種処理プログラム、これらのプログラムの実行に必要なデータ等が記憶されている。
【００１６】
また、記憶部１２には、コンテンツ指定テーブル記憶部１２２が設けられている。コンテンツ指定テーブル記憶部１２２には、各デジタルサイネージ装置２において個別に表示するコンテンツの識別情報が記憶されている。また、コンテンツ指定テーブル記憶部１２２には、視聴者の位置情報に対応付けて、視聴者がその位置にいるときに各デジタルサイネージ装置２に表示させるコンテンツの識別情報（動画ファイル名）が記憶されている。即ち、コンテンツ指定テーブル記憶部１２２には、視聴者の位置情報と、デジタルサイネージ装置２の識別情報と、コンテンツの識別情報とが対応付けて記憶されている。本実施形態において、視聴者の位置は、視聴者が前にいるデジタルサイネージ装置２の位置（例えば、視聴者が前にいるデジタルサイネージ装置２が左から何番目か）で特定されるものとする。
【００１７】
通信部１３は、モデム、ルータ、ネットワークカード等により構成され、通信ネットワークＮに接続されたデジタルサイネージ装置２等の外部機器との通信を行う。
【００１８】
［デジタルサイネージ装置２の構成］
図３は、各デジタルサイネージ装置２の主制御構成を示すブロック図である。図４は、スクリーン部２２の概略構成を示す正面図である。
デジタルサイネージ装置２は、例えば、店舗で取り扱っている商品に係るコンテンツを出力（表示及び音声出力）する装置であり、表示装置として機能する。デジタルサイネージ装置２は、図３に示すように、コンテンツの映像光を照射する投影部２１と、投影部２１から照射された映像光を背面で受けて前面に投影するスクリーン部２２とを備えている。
【００１９】
まず、投影部２１について説明する。
投影部２１は、制御部２３と、プロジェクタ２４と、記憶部２５と、通信部２６と、計時部３０とを備えている。プロジェクタ２４、記憶部２５、通信部２６、計時部３０は、図３に示すように制御部２３に接続されている。
【００２０】
制御部２３は、記憶部２５のプログラム記憶部２５１に記憶されている各種のプログラムを実行して所定の演算や各部の制御を行うＣＰＵとプログラム実行時の作業領域となるメモリとを備えている（いずれも図示略）。
【００２１】
プロジェクタ２４は、制御部２３から出力された画像データを映像光に変換してスクリーン部２２に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。
【００２２】
記憶部２５は、ＨＤＤ（Hard Disk Drive）や不揮発性の半導体メモリ等により構成される。記憶部２５には、図３に示すように、プログラム記憶部２５１が設けられている。プログラム記憶部２５１には、制御部２３で実行されるシステムプログラムや、各種処理を実行するための処理プログラム、これらのプログラムの実行に必要なデータ等が記憶されている。
【００２３】
また、記憶部２５には、コンテンツ記憶部２５２が設けられている。コンテンツ記憶部２５２には、デジタルサイネージ装置２で再生するコンテンツのデータがそのコンテンツの識別情報に対応付けて記憶されている。コンテンツデータは、例えば、複数のフレーム画像及び各フレーム画像に対応する音声データにより構成される動画ファイル等である。
【００２４】
本実施形態において、各デジタルサイネージ装置２のコンテンツ記憶部２５２には、図５（ａ）に示すように１台ずつ個別に（単独で）コンテンツを出力するための動画ファイルと、図５（ｂ）に示すように、複数のデジタルサイネージ装置２で同期することにより複数のデジタルサイネージ装置２全体で１つのコンテンツを拡大表示して出力する際に、その装置で表示を担当する部分（パーツ）の動画ファイルとが記憶されている。
【００２５】
図５（ｂ）に示すようなコンテンツの拡大表示は、コンテンツをより印象強く効果的に表示するために行われるものである。このコンテンツの拡大表示をより効果的に行うためには、視聴者の立ち位置によって拡大表示されるコンテンツのレイアウトが変化する（即ち、各デジタルサイネージ装置２で表示する部分が変わる）ことが好ましい。例えば、図５（ｂ）に示すように、手前から見て左端から２番目のデジタルサイネージ装置２の前に視聴者が立っている場合には、左端から２番目のデジタルサイネージ装置２にコンテンツの主要部分、例えば、商品であるカメラの写真等が拡大表示されることが好ましい。一方、手前から見て右端のデジタルサイネージ装置２の前に視聴者が立っている場合は、右端のデジタルサイネージ装置２にコンテンツの主要部分が表示されることが好ましい。そこで、各デジタルサイネージ装置２のコンテンツ記憶部２５２には、拡大表示する一つのコンテンツに対して、視聴者の位置毎に、その装置で表示する部分（パーツ）の動画ファイルが記憶されている。コンテンツの識別情報は、コンテンツ及び個々のパーツの動画ファイルが識別可能な情報となっている。
【００２６】
通信部２６は、モデム、ルータ、ネットワークカード等により構成され、通信ネットワークＮに接続されたサーバ装置１、他のデジタルサイネージ装置２等の外部機器との通信を行う。
【００２７】
計時部３０は、ＲＴＣ（Real Time Clock）等により構成され、現在日時を取得して制御部２３に出力する。
【００２８】
次に、スクリーン部２２について説明する。
図４に示すようにスクリーン部２２には、画像形成部２７と、画像形成部２７を支持する台座２８とが備えられている。
【００２９】
画像形成部２７は、映像光の照射方向に対して略直交するように配置された、例えばアクリル板などの一枚の透光板２９に、フィルム状のフレネルレンズが積層された背面投影用のフィルムスクリーンが貼付されて構成されたスクリーンである。プロジェクタ２４は、画像形成部２７に背面から画像を投影する。画像形成部２７と前述したプロジェクタ２４とにより、表示手段を構成している。
【００３０】
台座２８には、ボタン式の操作部３２と、音声を出力するスピーカなどの音声出力部３３と、撮像部３４と、が設けられている。
【００３１】
操作部３２は、複数の操作ボタンを備え、操作ボタンの押下信号を検出して制御部２３に出力する。
【００３２】
撮像部３４は、画像形成部２７に対向する空間の画像を撮影して撮像画像を生成する。撮像部３４は、図示は省略するが、光学系及び撮像素子を備えるカメラと、カメラを制御する撮像制御部とを備えている。
カメラの光学系は、画像形成部２７の前にいる視聴者を撮影可能な方向に向けられている。また、その撮像素子は、例えば、ＣＣＤ（Charge Coupled Device）やＣＭＯＳ（Complementary Metal-oxide Semiconductor）等のイメージセンサである。そして、撮像素子は、光学系を通過した光学像を２次元の画像信号に変換する。
【００３３】
操作部３２、音声出力部３３、撮像部３４は、図３に示すように制御部２３に接続されている。
【００３４】
［コンテンツ出力システム１００の動作］
次に、コンテンツ出力システム１００の動作について説明する。
図６に、サーバ装置１において実行される表示制御処理Ａのフローチャートを示す。表示制御処理Ａは、サーバ装置１の電源がＯＮの間、制御部１１とプログラム記憶部１２１に記憶されているプログラムとの協働により実行される。
【００３５】
まず、制御部１１は、複数のデジタルサイネージ装置２の前にいる視聴者の人数を取得する（ステップＳ１）。
【００３６】
ステップＳ１において、例えば、制御部１１は、まず、通信部１３により各デジタルサイネージ装置２に対し、全装置で同じタイミングで撮像部３４により撮影が行われるように撮影指示を送信する。次いで、制御部１１は、通信部１３により各デジタルサイネージ装置２に対し、撮影により取得された撮像画像から人物の顔認識を行って認識された顔領域の座標を視聴者の位置座標として、その装置の識別情報に対応付けてサーバ装置１に送信する指示を送信する。そして、通信部１３により各デジタルサイネージ装置２から視聴者の位置座標を受信すると、制御部１１は、各デジタルサイネージ装置２から取得した位置座標に基づいて、複数のデジタルサイネージ装置２全体（ここでは、６台全体）の前の視聴者の人数を取得して、各デジタルサイネージ装置２から取得した装置の識別情報及び位置座標とともにメモリに記憶する。
【００３７】
ここで、例えば、撮像部３４のレンズに広角レンズを用いた場合等、隣り合うデジタルサイネージ装置２同士の撮影範囲が重なっている場合があり、この場合、同じ視聴者を重複して認識してしまう場合がある。そこで、サーバ装置１においては、記憶部１２に予め撮像部３４により取得される撮像画像において隣と重なって撮影している領域の座標を記憶しておき、各デジタルサイネージ装置２から取得した位置座標に基づいて、２つの撮像画像に重複して写っている視聴者の座標を特定し、同一の視聴者を重複して人数にカウントしないようにする。
【００３８】
次いで、制御部１１は、複数のデジタルサイネージ装置２全体の前にいる視聴者の人数が一人であるか否かを判断する（ステップＳ２）。
【００３９】
ステップＳ２において、複数のデジタルサイネージ装置２全体の前にいる視聴者の人数が一人ではないと判断した場合（ステップＳ２；ＮＯ）、制御部１１は、複数のデジタルサイネージ装置２の同期は行わないと決定し（ステップＳ３）、複数のデジタルサイネージ装置２を同期させずに、１台ずつ個別にコンテンツを表示するように各デジタルサイネージ装置２を制御する（ステップＳ４）。
【００４０】
例えば、制御部１１は、コンテンツ指定テーブル記憶部１２２を参照し、デジタルサイネージ装置２を個別に表示させるときのコンテンツの識別情報を読み出して、当該識別情報のコンテンツの出力指示を通信部１３により各デジタルサイネージ装置２に送信する。各デジタルサイネージ装置２では、通信部２６によりサーバ装置１から受信した識別情報のコンテンツをコンテンツ記憶部２５２から読み出して、画像形成部２７に表示させるとともに音声出力部３３により音声を出力させる。
【００４１】
一方、ステップＳ２において、複数のデジタルサイネージ装置２全体の前にいる視聴者の人数が一人であると判断した場合（ステップＳ２；ＹＥＳ）、制御部１１は、複数のデジタルサイネージ装置２の全てを同期させると決定する（ステップＳ５）。
【００４２】
そして、制御部１１は、複数のデジタルサイネージ装置２の全てを同期させて全体で一つのコンテンツが拡大表示されるように制御する（ステップＳ６）。
例えば、制御部１１は、各デジタルサイネージ装置２から取得した視聴者の位置座標に基づいて視聴者の位置情報を取得し、コンテンツ指定テーブル記憶部１２２においてこの取得した視聴者の位置情報に対応付けられている各装置の識別情報及びコンテンツの識別情報を読み出す。そして、通信部１３により各デジタルサイネージ装置２に対し、その装置の識別情報に対応するコンテンツの識別情報及びコンテンツの出力タイミングを送信して、指定した出力タイミングでのコンテンツの出力指示を行う。この出力タイミングの指定によって、各デジタルサイネージ装置２の表示が同期するように制御される。各デジタルサイネージ装置２の制御部２３は、通信部２６によりサーバ装置１から受信した識別情報のコンテンツをコンテンツ記憶部２５２から読み出して、指定されたタイミングで画像形成部２７に表示させるとともに音声出力部３３により音声を出力させる。
【００４３】
指示されたコンテンツの出力が終了すると、各デジタルサイネージ装置２の制御部２３は、通信部２６によりコンテンツの終了通知をサーバ装置１に送信する。制御部１１は、通信部１３により各デジタルサイネージ装置２からのコンテンツの終了通知を受信すると、ステップＳ１に戻る。
【００４４】
制御部１１は、サーバ装置１の電源がＯＮである間、ステップＳ１〜ステップＳ６の処理を繰り返し実行する。
【００４５】
上記表示制御処理Ａによれば、デジタルサイネージ装置２全体の前にいる視聴者の人数が０又は複数である場合、図５（ａ）に示すようにデジタルサイネージ装置２のそれぞれに個別にコンテンツが表示される。一方、デジタルサイネージ装置２全体の前にいる視聴者の人数が一人になると、図５（ｂ）に示すようにデジタルサイネージ装置２全体のスクリーンを使ってコンテンツが拡大表示される。従って、視聴者が一人の場合に、複数のデジタルサイネージ装置２を有効活用して、印象を高めた効果的なコンテンツの表示を行うことが可能となる。
【００４６】
＜第２の実施形態＞
次に、本発明の第２の実施形態について説明する。
第２の実施形態においては、複数のデジタルサイネージ装置２全体の前にいる視聴者の人数が一人以外の場合であっても所定条件を満たす場合は同期を行う場合を例にとり説明する。
【００４７】
第２の実施形態において、プログラム記憶部１２１には、後述する表示制御処理Ｂを実行するためのプログラムが記憶されている。
また、コンテンツ指定テーブル記憶部１２２には、第１の実施形態と同様に、視聴者の位置情報、装置の識別情報及びコンテンツの識別情報が対応付けて記憶されているが、第２の実施形態においては、視聴者の位置情報は、複数の視聴者の位置情報の組み合わせの場合もある。複数の視聴者の位置情報の組み合わせに対応付けられた各装置の識別情報及びコンテンツの識別情報は、後述する表示制御処理ＢのステップＳ２０において複数のデジタルサイネージ装置２をグループごとに分けて同期させてコンテンツを拡大表示する際に、各デジタルサイネージ装置２に表示させるコンテンツのパーツを指定する情報である。
【００４８】
その他の第２の実施形態の構成は、第１の実施形態で説明したものと同様であるので説明を援用する。
【００４９】
次に、第２の実施形態の動作について説明する。図７に、第２の実施形態においてサーバ装置１において実行される表示制御処理Ｂのフローチャートを示す。表示制御処理Ｂは、サーバ装置１の電源がＯＮの間、制御部１１とプログラム記憶部１２１に記憶されているプログラムとの協働により実行される。
【００５０】
まず、制御部１１は、複数のデジタルサイネージ装置２の前にいる視聴者の人数を取得する（ステップＳ１１）。
【００５１】
ステップＳ１１における人数の取得は、第１の実施形態のステップＳ１で説明したものと略同様であるが、本実施形態では、各デジタルサイネージ装置２から取得した位置座標に基づいて、各デジタルサイネージ装置２の前の視聴者の人数及び複数のデジタルサイネージ装置２全体の前の視聴者の人数を取得して、各デジタルサイネージ装置２から取得した装置の識別情報及び位置座標とともにメモリに記憶する。
【００５２】
次いで、制御部１１は、複数のデジタルサイネージ装置２全体の前にいる視聴者の人数が一人であるか否かを判断する（ステップＳ１２）。
【００５３】
ステップＳ１２において、複数のデジタルサイネージ装置２全体の前にいる視聴者の人数が一人であると判断した場合（ステップＳ１２；ＹＥＳ）、制御部１１は、複数のデジタルサイネージ装置２の全てを同期させると決定する（ステップＳ１３）。
【００５４】
そして、制御部１１は、複数のデジタルサイネージ装置２の全てを同期させて全体で一つのコンテンツが拡大表示されるように制御し（ステップＳ１４）、ステップＳ１１に戻る。ステップＳ１４の処理はステップ図６のステップＳ６の処理と同様であるので説明を援用する。
【００５５】
ステップＳ１２において、複数のデジタルサイネージ装置２全体の前にいる視聴者の人数が一人ではないと判断した場合（ステップＳ１２；ＮＯ）、制御部１１は、各デジタルサイネージ装置２の前にいる視聴者の人数が一人以上であるか否かを判断する（ステップＳ１５）。
【００５６】
ステップＳ１５において、各デジタルサイネージ装置２の前の視聴者の人数が一人以上ではないと判断した場合（ステップＳ１５；ＮＯ）、制御部１１は、デジタルサイネージ装置２の台数が、一人以上の視聴者が前にいるデジタルサイネージ装置２の台数で割り切れるか否かを判断する（ステップＳ１６）。
【００５７】
デジタルサイネージ装置２の台数が、一人以上の視聴者が前にいるデジタルサイネージ装置２の台数で割り切れると判断した場合（ステップＳ１６；ＹＥＳ）、制御部１１は、一人以上の視聴者が前にいるデジタルサイネージ装置２間が離れているか（隣接していないか）否かを判断する（ステップＳ１７）。
【００５８】
ステップＳ１６において、一人以上の視聴者が前にいるデジタルサイネージ装置２間が離れていると判断した場合（ステップＳ１７；ＹＥＳ）、制御部１１は、複数のデジタルサイネージ装置２をグループ分けして同期させると決定する（ステップＳ１８）。そして、制御部１１は、一人以上の視聴者が前にいるデジタルサイネージ装置２の位置（即ち、視聴者の位置）に基づいて、互いに同期させるデジタルサイネージ装置２のグループを決定し（ステップＳ１９）、ステップＳ２０に移行する。
【００５９】
例えば、デジタルサイネージ装置２Ａ〜２Ｆがこの順に横に並んでいる場合で、視聴者がデジタルサイネージ装置２Ａ、２Ｆの前に位置している場合、制御部１１は、６台のデジタルサイネージ装置２を２Ａ〜２Ｃの３台と、２Ｄ〜２Ｆの３台の２つのグループに分けて、各グループ内のデジタルサイネージ装置２を互いに同期させるデジタルサイネージ装置２と決定する。また、例えば、視聴者がデジタルサイネージ装置２Ａ、２Ｃ、２Ｅの前に位置している場合、制御部１１は、６台のデジタルサイネージ装置２を２Ａ〜２Ｂの２台、２Ｃ〜２Ｄの２台、２Ｅ〜２Ｆの２台の３つのグループに分けて、各グループ内のデジタルサイネージ装置２を互いに同期させるデジタルサイネージ装置２と決定する。一人以上の視聴者が前にいるデジタルサイネージ装置２の位置（即ち、視聴者の位置）とグループ分けの関係は、予め定められて記憶部１２に記憶されている。
【００６０】
ステップＳ２０において、制御部１１は、決定したグループ毎にデジタルサイネージ装置２を同期させて、グループ毎にデジタルサイネージ装置２全体で一つのコンテンツが拡大表示されるように制御する（ステップＳ２０）。
【００６１】
上述のように、コンテンツ指定テーブル記憶部１２２においては、視聴者の位置情報は、一人以上の視聴者が前にいるデジタルサイネージ装置２の位置で表されている。制御部１１は、コンテンツ指定テーブル記憶部１２２において、一人以上の視聴者が前にいるデジタルサイネージ装置２の位置の組み合わせに相当する視聴者の位置情報の組み合わせに対応付けられている各装置の識別情報及びコンテンツの識別情報を読み出す。そして、通信部１３により各デジタルサイネージ装置２に対し、その装置の識別情報に対応するコンテンツの識別情報及びコンテンツの出力タイミングを送信して、指定した出力タイミングでのコンテンツの出力指示を行う。この出力タイミングの指定によって、グループ内の各デジタルサイネージ装置２の表示が同期するように制御される。各デジタルサイネージ装置２では、通信部２６によりサーバ装置１から受信した識別情報のコンテンツをコンテンツ記憶部２５２から読み出して、指定されたタイミングで画像形成部２７に表示させるとともに音声出力部３３により音声を出力させる。
【００６２】
一方、ステップＳ４において、各デジタルサイネージ装置２の前の視聴者の人数が一人以上であると判断した場合（ステップＳ１５；ＹＥＳ）、デジタルサイネージ装置２の台数が、視聴者が一人以上のデジタルサイネージ装置２の台数で割り切れないと判断した場合（ステップＳ１６；ＮＯ）、又は、視聴者が一人以上のデジタルサイネージ装置２間が離れていない（隣接している）と判断した場合（ステップＳ１７；ＮＯ）、制御部１１は、複数のデジタルサイネージ装置２の同期は行わないと決定する（ステップＳ２１）。そして、制御部１１は、複数のデジタルサイネージ装置２を同期させずに、１台ずつ個別にコンテンツを表示するように制御する（ステップＳ２２）。ステップＳ２２の処理は、図６のステップＳ４と同様であるので説明を援用する。
【００６３】
指示されたコンテンツの再生が終了すると、各デジタルサイネージ装置２の制御部２３は、通信部２６によりコンテンツの終了通知をサーバ装置１に送信する。制御部１１は、通信部１３により各デジタルサイネージ装置２からコンテンツの終了通知を受信すると、ステップＳ１１に戻る。
【００６４】
制御部１１は、サーバ装置１の電源がＯＮである間、ステップＳ１１〜ステップＳ２２の処理を繰り返し実行する。
【００６５】
上記第２の実施形態によれば、デジタルサイネージ装置２の台数が、一人以上の視聴者が前にいるデジタルサイネージ装置２の台数で割り切れ、一人以上の視聴者が前にいるデジタルサイネージ装置２が複数でかつ互いに隣接していない場合には、複数のデジタルサイネージ装置２をグループ分けして同期させ、それぞれのグループにおいて全体で一つのコンテンツを拡大表示させる。従って、複数のデジタルサイネージ装置２の前にいる視聴者の人数や配置によって複数のデジタルサイネージ装置２を有効に活用して印象を高めた効果的なコンテンツの表示を行うことが可能となる。
【００６６】
以上説明したように、本実施形態におけるサーバ装置１によれば、制御部１１は、複数のデジタルサイネージ装置２の前にいる視聴者の人数を取得し、取得された人数に基づいて、複数のデジタルサイネージ装置２を同期させるか否かを決定し、決定に基づいて、複数のデジタルサイネージ装置２の表示を制御する。
従って、デジタルサイネージ装置２の前にいる人数に応じて、効果的な表示を行うことが可能となる。
【００６７】
例えば、制御部１１は、複数のデジタルサイネージ装置２全体の前にいる視聴者の人数が一人である場合に、複数のデジタルサイネージ装置２の全てを同期させると決定する。
従って、視聴者が一人の場合に、複数のデジタルサイネージ装置２全てを使用して、印象を高めた効果的なコンテンツの表示を行うことが可能となる。
【００６８】
また、制御部１１は、複数のデジタルサイネージ装置２の台数が、一人以上の視聴者が前にいるデジタルサイネージ装置２の台数で割り切れ、一人以上の視聴者が前にいるデジタルサイネージ装置２の台数が複数でかつ互いに隣接していない場合に、複数のデジタルサイネージ装置２をグループ分けして同期させると決定する。そして、制御部１１は、一人以上の視聴者が前にいるデジタルサイネージ装置２の位置に基づいて、複数のデジタルサイネージ装置２のうち互いに同期させる複数のデジタルサイネージ装置２からなるグループを決定する。
従って、視聴者が複数の場合であっても、その人数や配置によって複数のデジタルサイネージ装置２を使用して印象を高めた効果的なコンテンツの表示を行うことが可能となる。
【００６９】
また、制御部１１は、同期させることが決定された複数のデジタルサイネージ装置２を同期させて複数のデジタルサイネージ装置２全体で一つのコンテンツを表示するように制御する。従って、複数のデジタルサイネージ装置２を有効活用して、印象を高めた効果的なコンテンツの表示を行うことが可能となる。
【００７０】
また、制御部１１は、視聴者の位置に応じたレイアウトでコンテンツを表示させる。従って、視聴者にとって効果的なレイアウトでコンテンツを表示することができる。
【００７１】
なお、上記実施形態における記述内容は、本発明に係るコンテンツ出力システム及びコンテンツ出力システムを構成する各装置の好適な一例であり、これに限定されるものではない。
【００７２】
例えば、上記実施形態においては、視聴者の人数が０であった場合にデジタルサイネージ装置２は同期させず個別に表示を行わせることとしたが、顧客を引き寄せるために、複数のデジタルサイネージ装置２の全てを同期させてコンテンツを拡大表示することとしてもよい。
【００７３】
また、上記実施形態においては、視聴者の目の前にコンテンツの主要部分が表示されるように、視聴者の位置に応じてコンテンツのレイアウトを変化させることとして説明したが、コンテンツのレイアウトは変化させずに各デジタルサイネージ装置２で個別に表示するコンテンツを単純に全体で拡大表示することとしてもよい。
【００７４】
また、上記実施形態においては、各デジタルサイネージ装置２で拡大表示の際に使用するパーツ毎の動画ファイルを予め記憶しておくことしたが、これに限定されない。例えば、サーバ装置１において同期させるデジタルサイネージ装置２を決定した際に、制御部１１が各デジタルサイネージ装置２のそれぞれに表示させる画像をリアルタイムで作成して送信してもよい。また、サーバ装置１で表示対象のコンテンツを予め記憶しておき、同期させるデジタルサイネージ装置２を決定した際に、制御部１１がコンテンツから各装置に表示させる領域の情報を取り出して送信することとしてもよい。
【００７５】
また、上記実施形態においては、サーバ装置１が各デジタルサイネージ装置２の表示制御を行う場合を例にとり説明したが、これに限定されない。例えば、デジタルサイネージ装置２の何れかをマスター端末、その他をスレーブ端末とし、マスター端末で上記サーバ装置１と同様の処理を行って各デジタルサイネージ装置２の表示を制御することとしてもよい。
また、デジタルサイネージ装置２の何れかをマスター端末とする場合は、ＬＡＮ接続に限らず、例えば、一番左のデジタルサイネージ装置２をマスター端末とし、隣り合うデジタルサイネージ装置２間をケーブルで接続していく構成としてもよい。
【００７６】
また、上記実施形態においては、一つのコンテンツの再生が終了してからデジタルサイネージ装置２の前にいる視聴者の人数を取得することとしたが、リアルタイムでデジタルサイネージ装置２の前にいる視聴者の人数を取得して、コンテンツの表示を人数に合わせて変更することとしてもよい
また、上記実施形態においては、複数のデジタルサイネージ装置２の前にいる視聴者の人数を特定したが、これに限らず、特定のデジタルサイネージ装置２の前にいる視聴者の人数に基づいて同期させるデジタルサイネージ装置２を決定しても良い。
【００７７】
その他、コンテンツ出力システム及びコンテンツ出力システムを構成する各装置の細部構成及び細部動作に関しても、発明の趣旨を逸脱することのない範囲で適宜変更可能である。
【００７８】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
視聴者の人数を取得する取得手段と、
前記取得手段により取得された人数に基づいて、複数の表示装置を同期させるか否かを決定する決定手段と、
前記決定手段による決定に基づいて、前記複数の表示装置の表示を制御する制御手段と、
を備える表示制御装置。
＜請求項２＞
前記決定手段は、前記複数の表示装置全体の前にいる視聴者の人数が所定の人数である場合に、前記複数の表示装置の全てを同期させると決定する請求項１に記載の表示制御装置。
＜請求項３＞
前記取得手段は、前記複数の表示装置のそれぞれの前にいる視聴者の人数を取得し、
前記決定手段は、前記複数の表示装置の台数が、所定の人数以上の視聴者が前にいる表示装置の台数で割り切れ、前記所定の人数以上の視聴者が前にいる表示装置が複数でかつ互いに隣接していない場合に、前記複数の表示装置をグループ分けして同期させると決定する請求項１又は２に記載の表示制御装置。
＜請求項４＞
前記決定手段は、更に、前記所定の人数以上の視聴者が前にいる表示装置の位置に基づいて、前記複数の表示装置のうち互いに同期させる複数の表示装置からなるグループを決定する請求項３に記載の表示制御装置。
＜請求項５＞
前記制御手段は、前記決定手段により同期させることが決定された複数の表示装置を同期させて前記複数の表示装置全体で一つのコンテンツを表示するように制御する請求項１〜４の何れか一項に記載の表示制御装置。
＜請求項６＞
前記視聴者の位置を取得する位置取得手段を備え、
前記制御手段は、前記視聴者の位置に応じたレイアウトで前記コンテンツを表示させる請求項５に記載の表示制御装置。
＜請求項７＞
視聴者の人数を取得する工程と、
前記取得された人数に基づいて、複数の表示装置を同期させるか否かを決定する工程と、
前記決定に基づいて、前記複数の表示装置の表示を制御する工程と、
を含む表示制御方法。
＜請求項８＞
コンピュータを、
視聴者の人数を取得する取得手段、
前記取得手段により取得された人数に基づいて、複数の表示装置を同期させるか否かを決定する決定手段、
前記決定手段による決定に基づいて、前記複数の表示装置の表示を制御する制御手段、
として機能させるためのプログラム。
【符号の説明】
【００７９】
１００  コンテンツ出力システム
１  サーバ装置
１１  制御部
１２  記憶部
１２１  プログラム記憶部
１２２  コンテンツ指定テーブル記憶部
１３  通信部
２  デジタルサイネージ装置
２１  投影部
２２  スクリーン部
２３  制御部
２４  プロジェクタ
２５  記憶部
２５１  プログラム記憶部
２５２  コンテンツ記憶部
２６  通信部
２７  画像形成部
２８  台座
２９  透光板
３２  操作部
３３  音声出力部
３４  撮像部
【図１】
2016173528.tif 000003
【図２】
2016173528.tif 000004
【図３】
2016173528.tif 000005
【図４】
2016173528.tif 000006
【図５】
2016173528.tif 000007
【図６】
2016173528.tif 000008
【図７】
2016173528.tif 000009